(57)【要約】  第１のサブシーケンスと、第２のサブシーケンスとを含むデジタル信号サンプルのシーケンスを処理するための方法であって：第１のサブシーケンスを含むサンプルの第１のブロック、および、第２のサブシーケンスが後に続くヘッダサンプルを含むサンプルの第２のブロックを形成すること（１０６）と；シンボルの第１のブロックを作り出すために、デジタル復調器を通して、サンプルの第１のブロックを、および、シンボルの第２のブロックを作り出すために、第２のデジタル復調器を通して、デジタル信号サンプルの第２のブロックを復調すること（１０８）であって、第２の復調器は、ヘッダサンプル（Ｅ６−Ｅ９）から開始して、キャリア同期またはシンボルレート同期を実装し、それらのヘッダサンプルは、第２の復調器が第２のサブシーケンスを復調する前に同期が有効であるような方法で適合される数においてのサンプルを含む、こと（１０８）と；第１のシンボルブロックを、第２のシンボルブロックと連結することにより、シンボルのシーケンスを復元すること（１１４）とを含む、方法。
2021525995.tif 000002
【特許請求の範囲】
【請求項１】
少なくとも１つの変調されたアナログ信号から生じるデジタル信号サンプルのシーケンスを処理するための方法であって、デジタル信号サンプルのシーケンスは、第１のサンプルサブシーケンス（Ｅ１−Ｅ９）と、第１のサンプルサブシーケンスとは異なる第２のサンプルサブシーケンス（Ｅ１０−Ｅ１４）とを含み、方法は、
・第１のサンプルサブシーケンス（Ｅ１−Ｅ９）を含む第１のサンプルブロック、および、第２のサンプルサブシーケンス（Ｅ１０−Ｅ１４）が後に続くヘッダサンプル（Ｅ６−Ｅ９）を含む第２のサンプルブロックを形成すること（１０６）、
・第１のシンボルブロック（Ｓ２−Ｓ４）を作り出すように、第１のデジタル復調器により、第１のサンプルブロックを復調すること（１０８）、
・第２のシンボルブロック（Ｓ４−Ｓ６）を作り出すように、第１のデジタル復調器から独立した第２のデジタル復調器により、第２のサンプルブロックを復調すること（１０８）であって、第２のデジタル復調器は、ヘッダサンプル（Ｅ６−Ｅ９）から開始して、キャリアおよび／またはシンボルレート同期を実装し、入力として第２のサンプルブロックを取り、ヘッダサンプルは、第２のデジタル復調器が第２のサンプルサブシーケンス（Ｅ１０−Ｅ１４）を復調することを開始する前に同期が有効であるために適した数においての同期サンプルを含む、こと（１０８）、
・第１のシンボルブロックから生じるシンボルシーケンスを、第２のシンボルブロックから生じるシンボルシーケンスと連結することにより、出力シンボルシーケンスを復元すること（１１４）
を含み、
第１のサンプルサブシーケンスは、第１のサンプルブロックの末尾サンプルを含み、第２のサンプルブロックのヘッダサンプルは、末尾サンプルに対応する、方法。
【請求項２】
ヘッダサンプルが、第２のサンプルブロック内に、同期サンプル（Ｅ６）と第２のサンプルサブシーケンス（Ｅ１０−Ｅ１４）との間に置かれるガードサンプル（Ｅ７−Ｅ９）をさらに含み、ガードサンプルが、デジタル信号サンプルのシーケンスにおいてシンボルあたりのサンプルの最大の数より大きい数のものである、請求項１に記載の方法。
【請求項３】
第２のサンプルブロックを受信した第２のデジタル復調器が、ヘッダサンプルが第２の復調器により消費されていない限り、シンボルを作り出さない、請求項１または２に記載の方法。
【請求項４】
第１のデジタル復調器により、第１のシンボルブロックに関係するメタデータの第１のセットを生成することと、第２のデジタル復調器により、第２のシンボルブロックに関係するメタデータの第２のセットを生成することとをさらに含み、復元が、メタデータの第１のセット、および、メタデータの第２のセットを使用して実装される、請求項１から３のいずれか一項に記載の方法。
【請求項５】
・メタデータの第１のセット、および、メタデータの第２のセットを使用して、第１のシンボルブロックの少なくとも１つのシンボルと第２のシンボルブロックの少なくとも１つのシンボルとの間の冗長性を検出すること（１１０）と、
・冗長であると検出されたシンボルの少なくとも１つの対に対して、対の２つのシンボルのうち１つのみを出力シーケンスにおいて保持することと
を含む、請求項４に記載の方法。
【請求項６】
第１のシンボルブロックと関連付けられる信号対ノイズ比、および、第２のシンボルブロックと関連付けられる信号対ノイズ比を推定することを含み、２つの冗長なシンボルのうち、出力信号において保持されるシンボルが、推定された信号対ノイズ比の間の最も高い信号対ノイズ比と関連付けられるシンボルブロックから生じるシンボルである、請求項５に記載の方法。
【請求項７】
第２のシンボルブロックから生じるシンボルシーケンスが、出力シンボルシーケンスにおいて、第１のシンボルブロックから生じるシンボルシーケンスの後に続き、冗長であると検出された２つのシンボルのうち、出力シーケンスにおいて保持されるシンボルが、第１のシンボルブロックの冗長なシンボルである、請求項５に記載の方法。
【請求項８】
・メタデータの第１のセットが、第１の復調器により決定され、第１のサンプルブロック内で最終シンボルを位置特定する、第１の位置
【数１】
2021525995.tif 000016
を含み、
・メタデータの第２のセットが、第１の復調器により決定され、第２のサンプルブロック内で最初のシンボルを位置特定する、第２の位置
【数２】
2021525995.tif 000017
を含み、
・第１のシンボルブロックと第２のシンボルブロックとの間の冗長なブロックの数が、第１の位置と第２の位置との間の分離に応じて計算される、
請求項４から７のいずれか一項に記載の方法。
【請求項９】
第１のデジタル復調器により、第１のシンボルブロック、およびメタデータの第１のセットを含む第１のフレームを生成するステップと、第２のデジタル復調器により、第２のシンボルブロック、およびメタデータの第２のセットを含む第２のフレームを生成するステップとをさらに含む、請求項４から８のいずれか一項に記載の方法。
【請求項１０】
メタデータの第１のセットが、第１のフレーム内の第１のシンボルブロックの後に続くサフィックスを形成し、メタデータの第２のセットが、第２のフレーム内の第２のシンボルブロックが後に続くプレフィックスを形成する、請求項９に記載の方法。
【請求項１１】
・第１のデジタル復調器により、第１のシンボルブロックと関連付けられる第１の同期させられるキャリア位相を推定するステップ、
・第２のデジタル復調器により、第２のシンボルブロックと関連付けられる第２の同期させられるキャリア位相を推定するステップ、
・同期させられるキャリア同期の２つの位相が、位相差だけ異なるならば、出力信号を復元する前に、位相差を取り除くように、第１のシンボルブロックおよび第２のシンボルブロックのうちの一方を、第１のシンボルブロックおよび第２のシンボルブロックのうちの他方との関連で調整するステップ
をさらに含む、請求項４から１０のいずれか一項に記載の方法。
【請求項１２】
第１の位相が、メタデータの第１のセット内に含まれ、第２の位相が、メタデータの第２のセット内に含まれる、請求項４と組み合わせて請求項１１に記載の方法。
【請求項１３】
第２のサンプルブロックに関係するメタデータを生成することを含み、前記メタデータが、第２のデジタル復調器に送信され、第２のサンプルブロックのサンプルの総数、および／または、第２のサンプルブロックの同期サンプルの数、および／または、デジタル信号サンプルのシーケンスの中心周波数を含む、請求項１から１２のいずれか一項に記載の方法。
【請求項１４】
・デジタル信号サンプルのシーケンスの中心周波数と、予想される中心周波数との間の周波数オフセットを決定することと、
・第１のサンプルブロックおよび第２のサンプルブロックを形成する前に、周波数オフセットからデジタル信号サンプルのシーケンスを、デジタル信号サンプルのシーケンスにおいての周波数オフセットを除去するために補正すること、さもなければ、第１のデジタル復調器および第２のデジタル復調器のうちの１つにより、第１のサンプルブロックおよび第２のサンプルブロックのうちの１つを補正することと
をさらに含む、請求項１から１３のいずれか一項に記載の方法。
【請求項１５】
プログラムコード命令であって、このプログラムが少なくとも１つのプロセッサにより実行されるとき、請求項１から１４のいずれか一項に記載の方法のステップを実行するためのプログラムコード命令を含む、コンピュータプログラム製品。
【請求項１６】
少なくとも１つの変調されたアナログ信号から生じるデジタル信号サンプルのシーケンスを処理するためのデバイス（６）であって、デジタル信号サンプルのシーケンスは、第１のサンプルサブシーケンス、および第１のサンプルサブシーケンスとは異なる第２のサンプルサブシーケンスを含み、処理デバイス（６）は、
・第１のサンプルサブシーケンスを含む第１のサンプルブロックを形成するように、および、第２のサンプルサブシーケンスが後に続くヘッダサンプルを含む第２のサンプルブロックを形成するように構成されるディストリビュータ（８）、
・第１のシンボルブロックを作り出すように、第１のサンプルブロックを復調するように構成される第１のデジタル復調器（１０）、
・第１のデジタル復調器から独立した、および、第２のシンボルブロックを作り出すように、第２のサンプルブロックを復調するように構成される、第２のデジタル復調器（１０）であって、ヘッダサンプルから開始して、キャリアおよび／またはシンボルレート同期を実装するように、ならびに、入力として第２のサンプルブロックを取るように構成され、ヘッダサンプルは、第２のデジタル復調器が第２のサンプルサブシーケンスを復調することを開始する前に同期が有効であるために適した数においての同期サンプルを含む、第２のデジタル復調器（１０）、
・第１のシンボルブロックから生じるシンボルシーケンスを、第２のブロックから生じるシンボルシーケンスと連結することにより、出力シンボルシーケンスを復元するように構成される復元モジュール（１２）
を含み、
第１のサンプルサブシーケンスは、第１のサンプルブロックの末尾サンプルを含み、第２のサンプルブロックのヘッダサンプルは、末尾サンプルに対応する、デバイス（６）。
【発明の詳細な説明】
【技術分野】
【０００１】
本発明は、信号のデジタル復調の分野に関する。
【背景技術】
【０００２】
それ自体が知られている様式において、デジタル復調器は、入力としてデジタル信号サンプルを取り、これらのサンプルは、例えば、アナログ無線信号のデジタル化により得られる。
【０００３】
デジタル復調器は、ハードウェアまたはソフトウェア形態で実装され得る。
【０００４】
例えば、特定用途向け集積回路（ＡＳＩＣ）、さもなければプログラマブル論理回路（ＦＰＧＡなど）が、ハードウェアデジタル復調器として使用され得る。これらの回路は両方が、復調に専用であるという性質を共有する。そのような回路によって、非常に高い復調スループットを達成することが可能である。しかしながら、これらの論理回路は多くの欠点を有し：論理回路は、立ち上げにおいて、および、更新の際に、少なからぬ開発および品質保証時間を要する専用のハードウェア構成を当然ながら要する。それらの論理回路のアーキテクチャは、入力においてサンプルの継続的なストリームを処理するように設計され、最大スループット特性を有する。「バースト」変調またはパイロットシンボル支援変調（ｐｉｌｏｔ−ｓｙｍｂｏｌ  ａｓｓｉｓｔｅｄ  ｍｏｄｕｌａｔｉｏｎ）の特別の場合を除いて、スループットを増大する目的のために、いくつかのハードウェアデジタル復調器を並列に稼働させることは、現在は可能でなく、より低いスループットのいくつかのキャリアを処理するために１つを共有することが可能であるにすぎない。
【０００５】
ソフトウェアデジタル復調器は、デジタル復調に専用のコンピュータプログラムであり、汎用（ｇｅｎｅｒｉｃ）プロセッサ、すなわち、このタスクに対して特に設計されないプロセッサにより実行されることができる。ソフトウェアデジタル復調器の知られている例は、ＧＮＵ  Ｒａｄｉｏである。
【０００６】
ハードウェアデジタル復調器によって遭遇される、実装に関する重い制約、「モジュール性」およびポーティングは、ソフトウェアデジタル復調器が使用されるときに除去される。
【０００７】
しかしながら、そのようなプログラムを実行する汎用プロセッサにより達成され得る最大復調スループットは、サンプルが逐次的に処理されるという事実を考え合わせると、そのプロセッサのクロック周波数に制限され、そのクロック周波数に比例する。かくして、単一のソフトウェア復調器により上回られ得ない最大スループットが依然として存する。
【０００８】
このスループット限度を上昇させるために、いくつかのソフトウェアデジタル復調器を並列に使用することが構想され得る。しかしながら、いくつかのデジタル復調器の使用は、ソフトウェアのものでさえ、新しい問題を出現させる。
【０００９】
この問題を理解するために、デジタル復調器は、復調されたシンボルをサンプルから作り出すことができる前に、デジタル復調器が入力として受信するデジタル信号サンプルを基にして、キャリアおよび／またはシンボルレートの同期を実施しなければならないということが想起されるべきである。そのような同期は、特定の実装において、位相ロックループ（ＰＬＬ）を用いて実装される。選定される実装が何であれ、デジタル復調器が、入力として受信されるデジタル信号サンプルを復調されたシンボルへと変換することを開始することができるのは、一旦この同期が有効になってようやくのことである。さらにまた、デジタル復調器は、この同期を成功裏に完了するために、デジタル信号サンプルを消費しなければならない。かくして、同期が有効である前にデジタル復調器により消費されるデジタル信号サンプルに対応するシンボルは、必然的に失われ、または、少なくとも、準最適なエラー確率を伴うシンボルを作り出す。
【００１０】
単一のデジタル復調器を伴う従来のアーキテクチャにおいて、復調器自体を、その復調器が受信する入力サンプルに関して同期させるために、復調器によりとられる時間により引き起こされる、信号からの数個の最初のシンボルの損失は、あまり損害を与えるものではない。このことはなぜならば、一旦同期が有効になると、この損失は繰り返されないからである。
【００１１】
並列に作動するいくつかの独立したデジタル復調器を含むアーキテクチャにおいて、事態は非常に異なることになる。復調されることになるデジタル入力信号が、サンプルのブロックへと分割され、これらのブロックが、異なるデジタル復調器により並列に処理されるならば、各デジタル復調器が、それが受信する新しいブロックに関する新しい同期を実装することが必要であることになる。その結果、失われる信号シンボルの数は、並列に使用されるデジタル復調器の数とともに増大することになり、損失は、復調される各ブロックとともに繰り返されることになる。
【００１２】
当該の本発明は、並列計算パワーを保存しながら、この問題を解決することを提案する。
【発明の概要】
【発明が解決しようとする課題】
【００１３】
本発明の１つの目標は、シンボルの損失なしに、増大されたスループットによって信号をデジタル的に復調すること、または、より一般的には、所与のスループットにおいて要される計算パワーを最適化することである。
【課題を解決するための手段】
【００１４】
本発明の第１の態様によれば、少なくとも１つの変調されたアナログ信号から生じるデジタル信号サンプルのシーケンスを処理するための方法であって、サンプルシーケンスは、第１のサンプルサブシーケンスと、第１のサンプルサブシーケンスとは別個の第２のサンプルサブシーケンスとを含み、方法は：
・第１のサンプルサブシーケンスを含む第１のサンプルブロック、および、第２のサンプルサブシーケンスが後に続くヘッダサンプルを含む第２のサンプルブロックを形成するステップ、
・第１のシンボルブロックを作り出すように、第１のデジタル復調器により、デジタル信号サンプルの第１のブロックを復調するステップ、
・第２のシンボルブロックを作り出すように、第１のデジタル復調器から独立した第２のデジタル復調器により、デジタル信号サンプルの第２のブロックを復調するステップであって、第２のデジタル復調器は、ヘッダサンプルから開始して、キャリアおよび／またはシンボルレート同期を実装し、入力として第２のサンプルブロックを取り、ヘッダサンプルは、第２のデジタル復調器が第２のサンプルサブシーケンスを復調することを開始する前に同期が有効であるために適した数の同期サンプルを含む、ステップ、
・第１のシンボルブロックから生じるシンボルシーケンスを、第２のシンボルブロックから生じるシンボルシーケンスと連結することにより、出力シンボルシーケンスを復元するステップ
を含む、方法が、かくして提供される。
【００１５】
その上、第１のサンプルサブシーケンスは、第１のサンプルブロックの末尾（ｔａｉｌ）サンプルを含み、第２のサンプルブロックのヘッダサンプルは、末尾サンプルに対応する。換言すれば、第１のデジタル復調器により処理される第１のサンプルブロックの終了と、第２のデジタル復調器により処理される第２のサンプルブロックの開始との間に重複が存する。第１のサンプルブロックの最後のサンプルと、第２のサンプルブロックのヘッダサンプルとの間の重複を使用する事実は、実装するのが特に簡単である利点を有する。
【００１６】
２つのデジタル復調器は独立しているので、それらは、それらに供給されるブロックを復調するために、並列に使用され得る。デジタル復調器を合わせて使用することは、それゆえに、単一の復調器のパワーを増大することによるよりも、より高価でない方法で、より高い復調器スループットを得ることを可能にする。
【００１７】
加えて、ヘッダサンプルの存在のせいで、第２のデジタル復調器が第２のサンプルブロック内に収容されるサンプルの第２のサブシーケンスを復調することを開始する前に、キャリアおよび／またはシンボルレート同期は有効である。このことは、特定のシンボルが、出力信号から、その出力信号が最終的に復元されるときに失われていることを回避することを可能にする。
【００１８】
本発明の第１の態様による方法は、単独で、または、組み合わせて取られる、以下の特徴を使用して完了されることが、このことが技術的に可能であるときに行われ得る。
【００１９】
ヘッダサンプルは、第２のサンプルブロック内に、同期サンプル（Ｅ６）と第２のサンプルサブシーケンス（Ｅ１０−Ｅ１４）との間に置かれるガードサンプル（Ｅ７−Ｅ９）をさらに含むことができ、ガードサンプルは、デジタル信号サンプルのシーケンスにおいてシンボルあたりのサンプルの最大の数より大きい数のものである。これらの特徴により提供される効果を理解するために、変調されたアナログ信号のサンプリングは非同期的である、すなわち、サンプリングのレートは送信器から独立したクロックにより支配されるということ、および、アナログ信号サンプルあたりのサンプルの数は（特に、アナログ信号が、送信器により送信され、次いで、送信器に対して相対的に動いている受信器により取得されたときのドップラー効果により）経時的に変動し得るということが想起されるべきである。その結果、同期により消費されるヘッダサンプルの数も変動し得る。ガードサンプルは、したがって、第２のサンプルセット内に収容されるシンボルが、これらの状況においてでさえ、ロックされる前にループにより消費されることにならないということを保証する効果を有する。
【００２０】
第２のサンプルブロックを受信した第２のデジタル復調器は、ヘッダサンプルが第２の復調器により消費されていない限り、シンボルを作り出さないように構成され得る。
【００２１】
方法は、第１のデジタル復調器による、第１のシンボルブロックに関係するメタデータの第１のセットの生成と、第２のデジタル復調器による、第２のシンボルブロックに関係するメタデータの第２のセットの生成とを含むことができ、復元が、メタデータの第１のセット、および、メタデータの第２のセットを使用して実装される。
【００２２】
方法は、メタデータの第１のセット、および、メタデータの第２のセットを使用して、第１のシンボルブロックの少なくとも１つのシンボルと、第２のシンボルブロックの少なくとも１つのシンボルとの間の冗長性を検出するステップと、冗長であると検出された２つのシンボルのうち１つのみを出力シーケンスにおいて保持するステップとをさらに含むことができる。これらのステップは、第１のデジタル復調器および第２のデジタル復調器それぞれにより処理されるサンプルブロックに対して選定されるサイズが何であれ、出力信号においての冗長なシンボルの出現を回避することを可能にする。
【００２３】
第１の変形例において、方法は、第１のシンボルブロックと関連付けられる信号対ノイズ比、および、第２のシンボルブロックと関連付けられる信号対ノイズ比の推定を含み、２つの冗長なシンボルのうち、出力信号において保持されるシンボルは、２つの推定された信号対ノイズ比のうち、最も高い信号対ノイズ比と関連付けられるシンボルブロックから生じるシンボルである。このことは、エラーが、含まれるシンボルにおいて存在することのリスクを最小化する効果を有する。
【００２４】
第２の変形例において、冗長であると検出された２つのシンボルのうち、出力シーケンスにおいて保持されるシンボルは、第１のシンボルブロックの冗長なシンボルであり、第２のシンボルブロックから生じるシンボルシーケンスは、出力シンボルシーケンスにおいて、第１のシンボルブロックから生じるシンボルシーケンスの後に続くということが理解される。
【００２５】
以下の特徴が、さらにまた提供され得る：
・メタデータの第１のセットは、第１の復調器により決定され、第１のサンプルブロック内で最終シンボルを位置特定することを可能にする、第１の位置を含み、
・メタデータの第２のセットは、第１の復調器により決定され、第２のサンプルブロック内で最初のシンボルを位置特定することを可能にする、第２の位置を含み、
・第１のシンボルブロックと第２のシンボルブロックとの間の冗長なブロックの数は、第１の位置と第２の位置との間の分離に応じて計算される。
【００２６】
方法は、第１のデジタル復調器による、第１のシンボルブロック、およびメタデータの第１のセットを含む第１のフレームの生成と、第２のデジタル復調器による、第２のシンボルブロック、およびメタデータの第２のセットを含む第２のフレームの生成とをさらに含むことができる。これらの位置を、復調されたシンボルを含むフレーム内に含む事実は、デジタル復調器から、出力信号の復元を実装する復元モジュールへのデータの単一のリンキングしか要さないという利点を有する。
【００２７】
メタデータの第１のセットは、第１のフレーム内の第１のシンボルブロックの後に続くサフィックスを形成することができ、メタデータの第２のセットは、第２のフレーム内の第２のシンボルブロックが後に続くプレフィックスを形成することができる。メタデータを、復調されたシンボルも含むフレームのプレフィックス内に、およびサフィックス内に配する事実は、復調を並列に実装することにより誘導されるレイテンシ現象を低減する利点を有する。出力信号を復元することを担当する復元モジュールは、特に、第２のフレームの全体を受信し終えることなく、第１のシンボルブロックと第２のシンボルブロックとの間のいかなる冗長性も検出する能力がある。
【００２８】
方法は、
・第１のデジタル復調器により、第１のシンボルブロックと関連付けられる第１の同期させられるキャリア位相を推定するステップ、
・第２のデジタル復調器により、第２のシンボルブロックと関連付けられる第２の同期させられるキャリア位相を推定するステップ、
・同期させられるキャリア同期の２つの位相が異なるならば、出力信号を復元する前に、この位相差を取り除くように、シンボルブロックのうちの一方を、他方のシンボルブロックとの関連で調整するステップ
をさらに含むことができる。
【００２９】
これらの特徴は、位相アンビギュイティを有するコンステレーションにより、前に変調された信号から生じるサンプルの、正しい復調を可能とする効果を有する。
【００３０】
第１の位相は、例えば、メタデータの第１のセット内に含まれ、第２の位相は、例えば、メタデータの第２のセット内に含まれる。
【００３１】
方法は、形成される第２のサンプルブロックに関係するメタデータの生成をさらに含むことができ、前記メタデータは、第２のデジタル復調器に送信され、第２のサンプルブロックのサンプルの総数、および／または、ブロックの同期サンプルの数、および／または、デジタル信号サンプルのシーケンスの中心周波数を含む。これらのメタデータのおかげで、第２のデジタル復調器は、セットから生じる最初のサンプルが、同期が有効である前に不当に消費されたかどうか、換言すれば、ヘッダサンプルが、復調器出力においてのシンボル損失を回避するのに十分な数においてのものであったかどうかを自律的に決定する能力がある。これらのメタデータは、それゆえに、第２のデジタル復調器が、それ自体が、適用可能な場合に、アラートを段階的に拡大する、または、任意の他の適切な方策をとる可能性を供する。
【００３２】
方法は、
・デジタル信号サンプルのシーケンスの中心周波数と、予想される中心周波数との間の周波数分離を決定するステップ、
・サンプルブロックを形成するステップを実装する前に、周波数分離によってデジタル信号サンプルのシーケンスを、サンプルシーケンスにおいてのこの分離を除去するために補正する、さもなければ、デジタル復調器のうちの１つにより、サンプルブロックのうちの１つを補正するステップ
を含むことができる。
【００３３】
補正は、サンプルブロックの形成の前になされるので、この補正は、処理されることになるサンプルブロックあたり単一の回数行われる。この解決策は、使用されるデジタル復調器の各々により行われる、周波数分離の決定、またはさらに、後続の補正を有することに本質がある解決策より、リソースに関して経済的である。
【００３４】
本発明の第２の態様によれば、プログラムコード命令であって、このプログラムが少なくとも１つのプロセッサにより実行されるとき、本発明の第１の態様による方法のステップを実行するためのプログラムコード命令を含む、コンピュータプログラム製品が、さらには提供される。
【００３５】
本発明の第３の態様によれば、少なくとも１つの変調されたアナログ信号から生じるデジタル信号サンプルのシーケンスを処理するためのデバイスであって、サンプルシーケンスは、第１のサンプルサブシーケンスと、第１のサンプルサブシーケンスとは別個の第２のサンプルサブシーケンスとを含み、処理デバイスは：
・第１のサンプルサブシーケンスを含む第１のサンプルブロックを形成するように、および、第２のサンプルサブシーケンスが後に続くヘッダサンプルを含む第２のサンプルブロックを形成するように構成されるディストリビュータ、
・第１のシンボルブロックを作り出すように、デジタル信号サンプルの第１のブロックを復調するように構成される第１のデジタル復調器、
・第１のデジタル復調器から独立した、および、第２のシンボルブロックを作り出すように、デジタル信号サンプルの第２のブロックを復調するように構成される、第２のデジタル復調器であって、ヘッダサンプルから開始して、キャリアおよび／またはシンボルレート同期を実装するように、ならびに、入力として第２のサンプルブロックを取るように構成され、ヘッダサンプルは、第２のデジタル復調器が第２のサンプルサブシーケンスを復調することを開始する前に同期が有効であるために適した数においての同期サンプルを含む、第２のデジタル復調器、
・第１のシンボルブロックから生じるシンボルシーケンスを、第２のブロックから生じるシンボルシーケンスと連結することにより、出力シンボルシーケンスを復元するように構成される復元モジュール
を含む、デバイスも提供される。
【００３６】
第１のサンプルサブシーケンスは、第１のサンプルブロックの末尾サンプルを含み、第２のサンプルブロックのヘッダサンプルは、末尾サンプルに対応する。
【００３７】
本発明の他の特徴、目標、および利点は、以下の説明から明らかになることになり、その説明は、純粋に例示的および非限定的であり、添付される図面を参照して読まれなければならない。
【図面の簡単な説明】
【００３８】
【図１】本発明の実施形態による、変調されたアナログ信号の受信器を概略的に例示する図である。
【図２】図１の受信器により実装されることができる、信号を処理するための方法のステップのブロック線図である。
【図３】そのブロック線図が図２において示される方法の異なる段階において生成される例データを例示する図である。
【図４】そのブロック線図が図２において示される方法の異なる段階において生成される例データを例示する図である。
【図５】そのブロック線図が図２において示される方法の異なる段階において生成される例データを例示する図である。
【図６】並列に使用される復調器の数に応じての、この方法を用いて得られるスループットを示す線図である。
【発明を実施するための形態】
【００３９】
すべての図において、同様の要素は、同一の参照番号をもつ。
【００４０】
１／  変調されたアナログ信号の受信器
図１を参照すると、無線アンテナ２と結合される受信器１は、アナログ−デジタル変換器４と、デジタル信号サンプルを処理するためのデバイス６とを含む。
【００４１】
無線アンテナ２は、遠隔の送信器により、前に変調されたアナログ信号を取得することに適している。
【００４２】
アナログ−デジタル変換器４は、アンテナ２により取得された変調されたアナログ信号をデジタル化するように、すなわち、このアナログ信号を基にして、デジタル信号サンプルの継続的なストリームを作り出すように構成され、ストリームそれ自体は、サンプルのシーケンスへと継続的に分割されるストリームである。アナログ変換器は、あらかじめ決定されたサンプリング周波数において作動する。
【００４３】
処理デバイス６は、ディストリビュータ８と、複数のデジタル復調器１０と、復元モジュール（または「シリアライザ」）１２とを含む。
【００４４】
処理デバイス６は、また、好ましくはディストリビュータ８の上流に配置される、キャリア周波数検出および／または補正モジュール７を含むことができる。この検出モジュール７は、例えば、アナログ−デジタル変換器４によりデジタル化された信号のスペクトル分析により、中心周波数誤差を推定し、適用可能な場合に補正することの機能を有する（この処理は、当業者に知られている）。
【００４５】
ディストリビュータ８は、アナログ−デジタル変換器により作り出されるサンプルからサンプルブロックを形成することの機能を有する。
【００４６】
ディストリビュータ８は、かくして、信号サンプルおよびまたは信号サンプルブロックを記憶するための、１つ以上のバッファメモリと、ブロックの創出を実装するためのプロセッサとを含むことができる。
【００４７】
デジタル復調器１０は、互いから独立しており、かくしてその結果、並列に動作することができる。
【００４８】
デジタル復調器１０は、好ましくは「ソフトウェア」タイプのものである。換言すれば、各デジタル復調器は、デジタル復調プログラムを実行するように構成される、例えばプロセッサなどの実行ユニットを含む。
【００４９】
例えば、ＣＰＵまたはＧＰＵが、デジタル復調器１０として、または、いくつかのデジタル復調器１０のセットとして使用され得る。１つ以上のプロセッサを取り除くように、各復調器が提供され得るものであり；全く同じプロセッサにより共有される時間期間において実行されるいくつかの並列タスクに対応するように、より多くのデジタル復調器が、また提供され得る。
【００５０】
デジタル復調器１０は、同一である、または異なることがある。
【００５１】
各デジタル復調器１０は、ディストリビュータ８により形成されるサンプルブロックを受信するように、および、このブロックからシンボルブロックを作り出すように配置される。慣例により、この本文において、用語「シンボル」は、復調されたデジタルデータを暗黙裡に指し、用語「サンプル」は、まだ復調されていないデジタルデータを暗黙裡に指す。
【００５２】
復元モジュール１２は、異なるデジタル復調器により作り出されるシンボルブロックを受信するように配置される。この復元モジュール１２の主な機能は、理想的には送信器による変調を経た元の信号に対応する、送信されたシンボルの継続的なシーケンスを復元することである。この目的のために、復元モジュール１２は、例えば、少なくとも１つのプロセッサと、少なくとも１つのバッファメモリとを含む。
【００５３】
２／  変調されたアナログ信号を処理するための方法
図２を参照すると、受信器１は、以下のステップを実装する。
【００５４】
無線アンテナ２は、前に変調されたアナログ信号を取得する（ステップ１００）。
【００５５】
この取得された信号を基にして、アナログ−デジタル変換器４は、サンプルの継続的なストリームを作り出し、このストリームは、それ自体は、デジタル信号サンプルのシーケンスへと分割されることができる（ステップ１０２）。
【００５６】
以下の本文にあるのは、ストリーム内に収容される各サンプルシーケンスに対して実装され、繰り返されるステップの説明である。
【００５７】
周波数分離が、デジタル信号サンプルのシーケンスの中心周波数と、受信器１により予想される中心周波数との間で決定される。デジタル信号サンプルのシーケンスの補正が、次いで、サンプルシーケンスにおいてのこの分離を除去するためになされる（ステップ１０４）。実施形態において、この補正は、検出モジュール７においての周波数変換によりなされ、別の実施形態において、デジタル復調器１０は、メタデータのアイテムにより、この中心周波数を通知され、例えば、ＰＬＬをこの値に初期化する。
【００５８】
シーケンスのサンプルは、シンボルシーケンスを得るように、復調を経ることを意図される。デジタル化機能４においてのサンプリングは、シンボルレートと同期的である必要はなく、シンボル期間内に含まれる瞬時サンプルの数は、Ｅ（Ｔｓ）とＥ（Ｔｓ）＋１との間で変動することがあり、ここでＴｓは、サンプル期間で計数されるシンボル期間であり、Ｔｓは整数ではなく、Ｅは整数部分を意味する。図３は、かくして、１４個のサンプルＥ１からＥ１４のシーケンスの例を示し、そのシーケンスを基にして、Ｓ１からＳ６と参照された６つのシンボルのみが、復調により得られ得る。特に、サンプルＥ２およびＥ３は、シンボルＳ１の期間内にあり、サンプルＥ１１、Ｅ１２、およびＥ１３は、シンボルＳ６の期間内にある。この例シーケンスにおいて、シンボルあたりのサンプルの平均数は２．３３である。
【００５９】
（何らかの周波数補正の後の）サンプルシーケンスは、ディストリビュータ８に供給される。
【００６０】
形式的に、サンプルシーケンスは、１からＫの範囲のインデックスを伴うＫ個の異なるサンプルサブシーケンスの順序付けされたセットへと区分化され得る。慣例により、これらのインデックスは、シーケンスの読み出しの順序に対応し、すなわち、インデックス１のサブシーケンスは、シーケンスの頭に置かれ、インデックスＫのサブシーケンスは、シーケンスの終了にある。単一のデジタル復調器が、完全なサンプルシーケンスを復調しなければならない（そのことは、下記でわかるように、本方法の間に実行されない）ならば、このデジタル復調器は、インデックス１のサブシーケンスを最初に読み出すことになり、インデックスＫのサブシーケンスを読み出すことにより終えることになる。
【００６１】
ディストリビュータ８は、サンプルシーケンスからＫ個のサンプルブロックを形成する（ステップ１０６）。創出されるブロックの数Ｋは、引き続いて使用されることになる処理デバイスのデジタル復調器の数に等しい。
【００６２】
一般的な規則として、ディストリビュータ８により受信されるシーケンスの各サンプルは、ディストリビュータ８により形成される少なくとも１つのブロック内に見出される。
【００６３】
１からＫの範囲の任意のｉに対して、インデックスｉのサンプルブロックは、ディストリビュータ８により受信されるサンプルシーケンスからとられるインデックスｉのサンプルのサブシーケンスが後に続くヘッダサンプルを含む。
【００６４】
各サンプルブロックのヘッダサンプルそれら自体は、ディストリビュータ８により受信されるサンプルシーケンスから生じる。
【００６５】
ヘッダサンプルは、この順序で、同期サンプルと、ガードサンプルとを含む。同期およびガードサンプルの数は、あらかじめ決定される（下記で、これらの数が個別の方法で選定されるということを確かめることになる）。
【００６６】
インデックスｉのサンプルサブシーケンスは、インデックスｉのサンプルブロック内のガードサンプルのすぐ後に続く。
【００６７】
有利には、２からＫの範囲の任意のｉに対して、インデックスｉのサンプルブロックのヘッダサンプルは、インデックスｉ−１のサンプルブロックの末尾サンプルに対応する。換言すれば、それぞれのインデックスｉおよびｉ−１の２つのサンプルブロックの間に重複が存する。そのような重複は、それがディストリビュータ８によるブロックの形成の実装を大幅に単純化するので、特に有利である。
【００６８】
２つのブロック（Ｋ＝２）が、図３において例示されるサンプルシーケンスを基にして形成される、図４において例示される例を取り上げる。この例において、ディストリビュータ８により形成される（図４の上部部分においての）インデックス１の第１のブロックは、９つのサンプルＥ１−Ｅ９を含み、ディストリビュータ８により形成される（図４の下部部分においての）インデックス２の第２のブロックは、９つのサンプルＥ６−１４を含む。第２のサンプルブロックは、サンプルシーケンスＥ１−Ｅ１４から生じる５つのサンプルのサブシーケンスＥ１０−Ｅ１４が後に続く、４つのヘッダサンプルＥ６からＥ９を含む。ヘッダサンプルＥ６−Ｅ９は、３つのガードサンプルＥ７−Ｅ９が後に続く、単一の同期サンプルＥ６を含む。前に説明された有利な変形例実施形態によれば、（インデックス２の）第２のサンプルブロックの４つのヘッダサンプルＥ６−Ｅ９は、（インデックス１の）第１のサンプルブロックの４つの末尾サンプルに対応するので、形成される２つのサンプルブロックの間に重複が存するということが認められる。この重複は、図４の２つの点線により例示される。
【００６９】
ディストリビュータ８により形成されるＫ個のブロックは、次いで、処理デバイス６のＫ個の異なるデジタル復調器１０に送信される。慣例により、インデックスｉのデジタル復調器は、インデックスｉのサンプルブロックを受信する復調器に選ばれる。
【００７０】
１からＫの範囲の任意のｉに対して、インデックスｉのデジタル復調器１０は、以下のステップを実装する。
【００７１】
シンボルを作り出すことができる前に、インデックスｉのデジタル復調器１０は、それが入力として受信するデジタル信号サンプルを基にして、キャリアおよび／またはシンボルレート同期をなす。当業者に知られているこの同期は、例えば、位相ロックループ（ＰＬＬ）を用いて、さもなければ、自動周波数制御（ＡＦＣ）、または、例えばＣｌａｓｓｅｎ−Ｍｅｙｒタイプの推定器などの推定器などの、任意の他の手段により実装される。
【００７２】
２つの連続的な期間が、インデックスｉのサンプルブロックの、インデックスｉのデジタル復調器１０による処理の間に識別され得る：
・その間、復調器１０により実装されるキャリアおよび／またはシンボルレート同期がまだ有効でない、および、その間、インデックスｉのサンプルブロックのサンプルが、復調器１０により、ただし、復調器が正しいシンボルを作り出すことなく消費される、取得の期間。
・同期が有効であると検出される時間から開始する、および、その間、復調器１０が、入力としてインデックスｉのサンプルブロックの他のサンプルを消費し、出力としてシンボルを作り出す、継続の期間。
【００７３】
取得期間の間、インデックスｉのデジタル復調器１０は、ヘッダサンプル、およびより詳しくは、同期サンプルを消費することにより開始する。
【００７４】
インデックスｉのサンプルブロックの同期サンプルの数は、インデックスｉのデジタル復調器１０が、シンボルを作り出すために、ヘッダサンプルの後のブロック内に置かれる、インデックスｉのサンプルサブシーケンスを消費することを開始する前に、同期が有効である  −  換言すれば、取得期間が終えられる  −  ように選定される。このことは、元の信号の特定のシンボルが、インデックスｉのこのサブシーケンスの特定のサンプルが取得期間の間に復調器により消費されるという事実に起因して、失われる、またはエラーを含むことを回避することを可能にする。
【００７５】
同期サンプルのこの数は、かくして、ディストリビュータ８に知られており、ディストリビュータ８により、インデックスｉのサンプルブロックを形成するために使用される。同期サンプルのこの数は、ディストリビュータ８のメモリ内に、ディストリビュータ８の開始の前に記憶され得る。この数は、適用可能な場合に、アンテナ２により捕らえられるアナログ信号に応じてディストリビュータ８により修正され得る。
【００７６】
同期サンプルの数を決定するために、当業者は、例えば、２次のＰＬＬによる同期の場合、以下のように進むことができ、当業者は、受信器１の入力においての、周波数の、および、予想される信号対ノイズ比（ＳＮＲ）の所望される最大変動と適合する、利用可能な周波数ωｎのループ帯域を規定する。取得時間は、したがって２π／ωｎであり、ここでωｎは、シンボルレートに依存する（シンボルレートの百分率である）。ヘッダは、次いで、送信されたシンボルの数において計算され得る。Ｎｓｅを、送信されたシンボルの数とする。発振器ドリフト、ドップラー効果、その他の後の、送信器対受信器クロックの比Ｐの形態での周波数分離の知識は、その周波数分離から、受信においてのレートＲＳに関する不確定度Ｐ＊ＲＳを推測することを可能にし、その周波数分離から、受信においてのサンプルの数Ｎｅにおいてのヘッダのサイズを推測することを可能にする。このことは、
Ｎｅ＝Ｅ［Ｐ＊Ｎｓｅ＊オーバーサンプリング］＋１
を与え、ここで「オーバーサンプリング」は、整数オーバーサンプリング因子である。
【００７７】
それら自体において、同期サンプルは、取得期間の不可避の存在により引き起こされるシンボル損失を回避するのに十分である。しかしながら、別の現象が、いずれのデジタル復調器によっても生成されないことになるシンボルの脱落を引き起こすことがある。このことは、デジタル復調器が、一旦ロックされると、シンボルを計算するために、最小の数の連続するサンプルを要するという事実を考慮に入れる間隔問題である。サンプリング期間に対するそのシンボルの相対的位置によって、この数は変動することがあり、Ｌですべてのシナリオに対するこの最大長さを意味する。
【００７８】
この問題を改善するために、ガードサンプルの数は、Ｌ個のサンプルのいかなる連続する群も、同期サンプルの除去の後に、少なくとも１つのブロックｉ内に存在するということを保証するように選定される。このことは、シンボルが、生成されることになる同期サンプルの使用を要さないということを保証することを可能にする。
【００７９】
ガードサンプルの数は、同期サンプルの数に類似して、ディストリビュータ８に知られており、後者により、サンプルブロックを形成するために使用される（ヘッダサンプルの数は、同期サンプルの数、および、ガードサンプルの数の総和である）。ガードサンプルの数は、ディストリビュータ８のメモリ内に、そのディストリビュータ８が使用される前に記憶され得る。この数は、適用可能な場合に、アンテナによりピックアップされたアナログ信号に応じてディストリビュータ８により修正され得る。
【００８０】
ガードサンプルの数を決定するために、当業者は、以下のように進むことができ：最小の数はＬ−１であり、ここでＬは、復調器においてのカスケードにおいて使用されるすべてのフィルタを考慮に入れた、最も長い等価フィルタのサイズである。最も単純な復調器において、Ｌ＝Ｅ（Ｔｓ）＋１であり：フィルタは、少なくともシンボル持続期間に等しい。
【００８１】
復調器は、出力として、すべてのサンプルがブロックの終了までずっと消費されるまで、シンボルのシーケンスを供給する。３つの実施形態が、シンボルシーケンスの開始に対して構想される。第１の実施形態において、デジタル復調器１０は、取得期間の間を含めて、ブロックのサンプルの消費の開始からシンボルを生成するが、この場合、準最適なエラー確率により影響を及ぼされて生成される最初のシンボルは、使用されないことになる。第２の実施形態において、デジタル復調器は、シンボルを、継続期間の間にのみ生成し、取得期間の間には生成せず；この場合、生成されるシンボルは使用可能であるが、最初のシンボルの位置は、ブロックの開始に対してランダムである。好ましい実施形態である（および、以後は「サイレントヘッダ」実施形態と呼称されることになる）第３の実施形態において、デジタル復調器１０は、それがヘッダを消費する後にサブシーケンスに達する瞬間からシンボルを生成する。後者の場合、すべてのシンボルは正しく、最初に生成されるシンボルの位置不確定度は、最小に低減される。この後者の実施形態は、デジタル復調器がヘッダサンプルの数を知っているときに可能であるのみである。
【００８２】
しかしながら、インデックスｉのデジタル復調器１０に、インデックスｉのサンプルブロックを処理させることは、そのデジタル復調器が、サンプルブロックが収容する同期またはガードサンプルの数の知識なしで可能である。変形例において、デジタル復調器１０は、ディストリビュータ８と同じ方法で、それらのデジタル復調器の開始の前に、これらの２つの値によって構成される。好ましい別の変形例において、ディストリビュータ８は、異なる復調器に、ディストリビュータがそれらの復調器に送信しているブロックのサイズを通知する。かくして、ディストリビュータ８は、サンプルのＫ個のブロックのみではなく、ブロックに関係するメタデータのＫ個のセットも生成し、インデックスｉのサンプルブロックに関係するメタデータの各セットは、以下のサイズ：
・インデックスｉのサンプルブロックの同期サンプルの数、
・インデックスｉのサンプルブロックのガードサンプルの数、
・インデックスｉのサンプルブロックのヘッダサンプルの数（２つの前の数の総和）、
・インデックスｉのサブシーケンスのサンプルの数、
・インデックスｉのサンプルブロックのサンプルの総数（２つの前の数の総和）。
のうちの少なくとも１つを収容する。
【００８３】
復調器は、情報のこの後者のアイテムが、復調器に送信されることなく復調器に知られ得るように、ブロックのサンプルを計数することの可能性を有するということが、ここでは明記される。しかしながら、データのこのアイテムは、復調器にそのアイテムを確立するための追加的な動作の使用を要させたくない場合、一旦ブロックのサンプルが消費されるとようやく知られることになる。
【００８４】
かくして、何であれ何らかの理由のために、インデックスｉのデジタル復調器１０により実装される同期が、インデックスｉのサンプルを消費するならば、そして、インデックスｉのサンプルブロック内のヘッダサンプルの存在にもかかわらず、そのようにするならば、デジタル復調器１０は、これらのメタデータのおかげで、この問題をはらむ状況を検出し、この場合、適切なアクション（アラート信号の送信、デジタル復調器１０の停止、その他）を実装することの可能性を有する。そのような検出を実装するために、デジタル復調器１０は、単純に、そのデジタル復調器が受信したインデックスｉのサンプルブロック内の、そのデジタル復調器が消費するサンプルを計数し、一旦同期が有効になると、計数されたサンプルのこの数を、メタデータにおいてディストリビュータ８により、または、初期構成により、そのデジタル復調器に供給されている同期サンプルの数と比較することができる。
【００８５】
同じ方法で、サイレントヘッダ実施形態において、復調器は、サブシーケンスの最初のサンプルに達する前に、すなわち、すべてのヘッダサンプル、および、すぐ後に続く１つを消費する後に、何らのシンボルも生成しない。今回は、この配置を実装するために、復調器は、消費されたサンプルの数が、１を加算する後の、メタデータにおいてディストリビュータ８により（または、初期構成により）、復調器に供給されているヘッダサンプルの数にその時達していないならば、計算されたばかりのいかなるシンボルも棄却する。このことは、それゆえに、いかなる生成されるシンボルも、したがって、多くてもＬ個の最後のサンプルを使用して計算されていることになり、それらのサンプルのどれも、ガードの前にある同期サンプルから取り出されていないことになるということを保証する。
【００８６】
ディストリビュータ８は、また、メタデータにおいて：
・ディストリビュータの配置の順序でのブロックの番号
・ブロックの最初のサンプルの、シーケンスにおいての順序の番号
・（ヘッダの後の）サブシーケンスの最初のサンプルの、シーケンスにおいての順序の番号
などの番号付けインデックスを供給することにより、デジタル復調器１０に通知することができる。
【００８７】
これらの組み合わされたデータのいくつかは、これから、減算により、ヘッダの、またはブロックのサイズを推測することを可能にし、そのことは、したがって、これらのメタデータの送信に関して節約をなすことを可能にする。下記でわかるように、これらの番号付けメタデータは、デジタル復調器１０が、復元モジュール１２による使用のためのメタデータを形成することを可能とする。
【００８８】
例えばデジタル信号サンプルのシーケンスの中心周波数などの他のデータが、メタデータにおいてデジタル復調器１０に、ディストリビュータ８により容易に供給され得るものであり、そのことによって、これらのデジタル復調器は、キャリア同期の迅速な取得を可能とするために、デジタル復調器の局部発振器を事前配置できる。
【００８９】
上記で説明された原理を適用することにより、使用されるＫ個のデジタル復調器１０は、それらが受信したＫ個のサンプルブロックを基にして、Ｋ個のシンボルブロックを作り出す。
【００９０】
図５は、図４において示されるサンプルブロック（Ｋ＝２）を基にして得られるシンボルブロックを示す。（インデックス１の）第１の復調器は、シンボルＳ２からＳ４を含むシンボルの第１のブロックを作り出しており、（インデックス２の）第２の復調器は、シンボルＳ４からＳ６を含む第２のシンボルブロックを作り出している。
【００９１】
Ｋ個のシンボルブロックは、次いで、復元モジュール１２に送信される。
【００９２】
復元モジュール１２は、アナログ−デジタル変換器４により供給されるサンプルシーケンスにおいてサブシーケンスが出現した順序に対応する順序で、これらのＫ個のシンボルブロックを互いとともに集合させることにより、それらから出力信号を再構成する。
【００９３】
復元モジュール１２が、シンボルブロックの集合体のこの個別の順序にしたがうように、処理デバイス６のデジタル復調器１０の間の固定された順序関係を確立することが提供され得る。この場合、それは、復元モジュール１２が、どのデジタル復調器１０によりシンボルブロックが作り出されたかを知れば、他のシンボルブロックに対してのシンボルブロックの順序をそこから推測するには、十分である。この知識は、異なるデジタル復調器１０と、復元モジュール１２の異なる入力ポートとの間の独立したリンクにより確立され得る。変形例において、デジタル復調器により作り出される異なるシンボルブロックの集合体の順序を推測するように、ディストリビュータ８から順序付けデータを受信するように、復元モジュール１２が提供され得る。最終的に、デジタル復調器１０は、それら自体が分配モジュールから受信した順序番号付けメタデータを使用して、今度は復元モジュールにメタデータを返送することができる。
【００９４】
このことは、出力信号において、インデックス２のシンボルブロックから生じるシンボルのシーケンス、…インデックスＫのシンボルブロックから生じるシンボルのシーケンスまでずっと、が後に続く、インデックス１のシンボルブロックから生じるシンボルのシーケンスを与える。
【００９５】
最適な状況において、連続的なインデックスｉ−１およびｉの２つのシンボルブロックは、共通にシンボルを有さない。この状況において、これらの２つの連続的なシンボルブロックは、出力信号の復元の間に単純に連結される。
【００９６】
しかしながら、インデックスｉ−１のサンプルブロックを基にしてインデックスｉ−１のデジタル復調器１０により最後に作り出されるものと、インデックスｉのサンプルブロックからインデックスｉのデジタル復調器１０により最初に作り出されるものとの間に、数個のシンボルの冗長性が存在し得る。かくして、図５において例示される例において、第１のデジタル復調器１０により作り出された最終シンボル（最後のシンボル）、および、第２のデジタル復調器により作り出された最初のシンボル（第１のシンボル）は、両方ともシンボルＳ４である。
【００９７】
このことが、復元モジュール１２が、好ましくは、インデックスｉ−１のブロックの最後のシンボルと、インデックスｉのブロックの最初のシンボルとの間の何らかの冗長性を検出するステップを実装する理由である。シンボルが冗長であるとき、復元モジュール１２は、出力信号において２つのシンボルのうちの一方を保持するのみであり、他方を取り除く。
【００９８】
実施形態において、デジタル復調器１０は、シンボルブロックを作り出すことに限定されるのではなく、復元モジュール１２が、これらのシンボルを直接的に比較しようとすることなく、このシンボル冗長性検出ステップを成功裏に完了するのを助けることを可能にするメタデータも生成する。
【００９９】
かくして、インデックスｉ−１のデジタル復調器１０は、インデックスｉ−１のブロック内でサンプルとの関連で最終シンボルを位置特定することを可能にする小数（ｆｒａｃｔｉｏｎａｌ）位置を決定する。前にわかったように、シンボルはサンプルと同期的ではなく、シンボルのサンプリングの最適な時間は、それゆえに、一般的には、サンプルの時間と一致しない。このサンプル位置は、かくして、小数を定義する対
【数１】
2021525995.tif 000003
であり得、ここで：
・
【数２】
2021525995.tif 000004
は、最終シンボルの最適なサンプリング時間に直接先行する最後のサンプルの番号を指定する整数部分である。典型的には、当該のサンプルは、インデックスｉのサンプルブロックのガードサンプルのうちの１つに対応する、インデックスｉ−１のサンプルブロックの末尾サンプルであり得る。
・
【数３】
2021525995.tif 000005
は、サンプリング期間との関連で、区間［０，１［内の値を伴う小数部分である。この小数部分は、例えば最終シンボルの最適なサンプリング時間に直接先行するサンプルの開始と、最終シンボルの最適なサンプリング時間それ自体との間の相対的分離を測る。この値は、復調器の同期ループにより計算される。
【０１００】
図３から５における例において、
【数４】
2021525995.tif 000006
は、基準サンプルＥ６とサンプルＥ７との間の（サンプルの数での）分離であり、サンプルＥ７は、第１のサンプルブロックの最終シンボルの作成の前にある最後のサンプルである。その上、最終シンボルの最適なサンプリング時間は、おおよそで、サンプルＥ７、および、後に続くサンプルＥ８の開始から半ばに置かれる。このことが、この場合、第１の復調器が、以下の値
【数５】
2021525995.tif 000007
に行き着く理由である。
【０１０１】
同じ方法で、インデックスｉのデジタル復調器１０は、インデックスｉのブロック内でサンプルとの関連でシンボルを位置特定することを可能にする小数位置を決定する。この小数サンプル位置は、小数を定義する対
【数６】
2021525995.tif 000008
であり得、ここで：
・
【数７】
2021525995.tif 000009
は、最初のシンボルの最適なサンプリング時間に直接先行するサンプルの番号を指定する整数部分である。典型的には、当該のサンプルは、インデックスｉのサンプルブロックのガードサンプルのうちの１つであり得る。
・
【数８】
2021525995.tif 000010
は、サンプリング期間との関連で、区間［０，１［内の値を伴う小数部分である。この小数部分は、最初のシンボルの最適なサンプリング時間に直接先行するサンプルの開始と、最初のシンボルの最適なサンプリング時間それ自体との間の相対的分離を測る。この値は、復調器の同期ループにより計算される。
【０１０２】
図３から５における例において、
【数９】
2021525995.tif 000011
は、基準サンプルＥ７とサンプルＥ８との間の（サンプルの数での）分離であり、サンプルＥ８は、インデックス１の復調器が、一旦同期が有効になると、インデックス２のシンボルブロックの最初のシンボルを作り出すために使用した最初のサンプルである。その上、最初のシンボルの最適なサンプリング時間は、おおよそで、後に続くサンプルＥ８によりも、サンプルＥ７に少し近く置かれる。このことが、この場合、第２の復調器が、以下の値
【数１０】
2021525995.tif 000012
に行き着く理由である。
【０１０３】
サンプルの順序番号との関連で、小数部分を伴う位置
【数１１】
2021525995.tif 000013
および
【数１２】
2021525995.tif 000014
が、インデックスｉのデジタル復調器１０により復元モジュール１２に送信される。
【０１０４】
それぞれのインデックスｉ−１およびｉのシンボルブロックの間の何らかの冗長性の検出が、復元モジュール１２により、供給された小数部分を伴うシンボルの２つの中心位置の間の分離を基にして実装される。
【０１０５】
これらのシンボルの近傍において、ブロックｉおよびｉ−１に関する２つのデジタル復調器においてレートの同期が有効になると直ちに、２つの小数時間の間の差は、必然的に、整数個の数のシンボル期間Ｔｓに近く：
【数１３】
2021525995.tif 000015
であり、この等式に影響を及ぼす誤差は、Ｔｓと比較して小さい。各値ｋと関連付けられる間隔の非常に単純な識別により（例えば、ナイキストサンプリング定理にしたがうためにＴｓ＞２であるので、位置不確定度しきい値を１に設定することが可能である）、この値、すなわち、ブロックｉ−１の終了シンボル、および、ブロックｉの開始シンボルを分離する期間の数を、アンビギュイティなしに決定することが可能である。ｋが厳密に１より大きいならば、このことはなぜならば、シンボルが、２つのブロックの間で脱落されているからである。このことは、シンボルが復調されないことがあるということを意味するので、アラームがトリガさせられ得るものであり、原因は、おそらくは、復調器ｉが同期エラーを経ており、エラーが、復調器ｉがシンボルを適時に供給することを妨げたということである。ｋが１の値を有するならば、ブロックｉの第１のシンボルは、ブロックｉ−１の最後の後に続き、ブロックｉのシンボルのシーケンスを、直接的にブロックｉ−１のシンボルの後に連結することが可能である。ｋが０の値を有する、または負であるならば、１つ以上の冗長なシンボルが、数において１−ｋ、必然として含まれる。２つのシーケンスのうちの１つに関する冗長なシンボルを、シーケンスを連結する前に棄却することが、したがって賢明である。
【０１０６】
デジタル復調器１０が、サブシーケンス内のサンプルの消費を始めた後にようやくシンボルを生成する、前記サイレントヘッダの作成において、したがってｋは、０または１の値を有することのみができ、すなわち、冗長なシンボルは存しない、または、ただ１つの冗長なシンボルが存する。
【０１０７】
冗長なシンボルは、それゆえに、２つのシンボルブロックの連結の前に削除される。この第２の場合は、図３から５において例示される例であり、なぜならば、｜（１＋０．４８）−（１＋０．３８）｜＝０．１＜１であるからである。かくして、１つのシンボルが冗長であり、シンボルＳ４が、インデックス２のシンボルブロックの開始において、または、インデックス１のシンボルブロックの終了においてのいずれかで取り除かれる。
【０１０８】
好ましくは、２つの冗長なシンボルのうち、出力信号において保持されるシンボルは、復元モジュール１２によりランダムに選定されない。デフォルトとして、第１の実施形態において、シーケンスｉのシンボルは、シーケンスｉ−１のシンボルの方を選ぶことで削除されることになる。この実施形態は、反対のものより好ましいものであり、なぜならば、ブロックｉに関する同期の残留位相誤差は、ブロックｉ−１の同期の残留位相誤差より大きいということが、より確からしいからであり、なぜならば、そのブロックｉの取得が、より近時であるからである。これらのシンボルは、それゆえに、おそらくは、より高いエラー確率により影響を及ぼされる。
【０１０９】
第２の実施形態において、インデックスｉ−１のデジタル復調器１０は、それが作り出す最終シンボルと関連付けられる信号対ノイズ比を推定し、インデックスｉのデジタル復調器１０は、それが作り出す最初のシンボルと関連付けられる信号対ノイズ比を推定する。これらの信号対ノイズ比は、次いで、復元モジュール１２に送信される。冗長性の際に、復元モジュール１２は、出力信号において、インデックスｉ−１およびｉの復調器によりその復元モジュール１２に供給された、２つの信号対ノイズ比のうち、最も高い信号対ノイズ比と関連付けられる、冗長な１つ以上のシンボルを保つ。
【０１１０】
第３の実施形態において、インデックスｉのデジタル復調器１０は、第１の期間（次のように、同期が有効になるときの瞬間、それから復調器がシンボルを作り出すことができる瞬間まで）の間に復調器が消費したサンプルの数をチェックする。すべての同期サンプルが、同期が有効である前にインデックスｉのデジタル復調器１０により消費されるならば、インデックスｉのデジタル復調器１０により作り出される最終シンボルは取り除かれる。そうでない場合、インデックスｉのデジタル復調器１０により作り出される最初のシンボルが、出力信号内に含まれ、インデックスｉ−１のデジタル復調器１０により作り出される最終シンボルは取り除かれる。
【０１１１】
それ自体が知られている様式において、位相を含む変調スキームの大部分と関連付けられるコンステレーション図は、一回りの何分の１かの回転により不変である。このことは、２π／Ｍの復調器出力においての位相アンビギュイティを結果的に生じさせ、ここでＭは、アンビギュイティの次数（例えば、ＢＰＳＫに対して２、ＱＰＳＫに対して４）である。継続的に動作する従来の復調器において、この位相アンビギュイティは、同期ワードのおかげで、または、差分符号化により一掃される。しかしながら、処理デバイス６において、そのような同期ワードの使用は、異なる復調器１０に、復調器自体の間で通信させることを要することになり、そのことは、容認可能な解決策ではなく、なぜならば、解決策は、異なる復調器１０を互いに依存的にすることになるからである。
【０１１２】
すべての場合、取得期間において、復調器１０は、異なる位相状態へとランダムにロックし、このことは、これらの復調器により作り出された異なるシンボルブロックのコンステレーションの間の不定の位相回転を結果的に生じさせる。アンビギュイティを一掃するために、例えば、注目すべき知られているシーケンス（同期ワード）の第１の（または最後の、または第ｎの）シンボルのものなどの、復調器により識別可能な基準位相が、分離される。
【０１１３】
同期ワードがない場合、異なる復調器１０が、復調器の相対的位相状態を識別することができることが、少なくとも要され、そのことは、復元モジュール１２が、アンビギュイティの一掃より前にこの差を補正することを可能とすることになる。このことが、無線アンテナにより取得される信号が、位相アンビギュイティを有するコンステレーションにより変調されたと判明したときに、インデックスｉのデジタル復調器１０が、その同期アルゴリズムの局部発振器と関連付けられるキャリアの位相を推定し、有利には、位相を復元モジュール１２に、メタデータによって送信する理由である。インデックスｉのデジタル復調器１０がＰＬＬを実装することがあれば、この位相は、このＰＬＬの数値制御発振（ＮＣＯ）の位相である。復元モジュールが、２つの連続するブロックの間の位相回転を補正することができるために、したがって、位相が、２つの同一の時間において、一度にブロックｉ−１およびブロックｉにおいて測定されていることが十分である。このことのために、それゆえに、各ブロックにおいて、例えば、ガードの最後のサンプルに、および、ブロックの最後のサンプルに対応する時間において、同期させられるキャリアの位相の値を送信することが必要である。
【０１１４】
ブロックｉ−１の最後のサンプルは、ブロックｉのヘッダの最後のサンプルと同じである。確立されたレジーム（ｒｅｇｉｍｅ）のために、ブロックｉ−１およびブロックｉに対する復調器１０のキャリア周波数の同期ＰＬＬが、同じ瞬時周波数、および、２ｋπ／ｍだけ異なるのみであり得る位相によってロックされ、ここでｍは、アンビギュイティの次数である。復調器ｉのＯＬの位相がφｉであり、ブロックｉ−１の復調器のＯＬの位相がφｉ−１であるならば、必然的にφｉ−φｉ−１≒２ｋπ／ｍを有し、ブロックｉの復調器により復調されるシンボルは、ブロックｉ−１のシンボルに対して−２ｋπ／ｍの回転を経ている。ｋの値は、それゆえに、（φｉ−φｉ−１）／２πに最も近いｋ／ｍによって決定され、ブロックｉから生じるシンボルに関する２ｋπ／ｍの回転を、シンボルをブロックｉ−１のシンボルに関してアライメントするために実行しなければならない。かくして、復元アルゴリズムは、ブロック０に対する補正をなし、次いで、隣接物から隣接物へと、ブロックｉに由来するシンボルに関する回転を実施するのみであり、それは、ブロックｉのヘッダの最後のサンプルと、ブロックｉ−１の最後のサンプルとの間の、上記で定義されたような位相差であるφｉ−φｉ−１に最も近い値、２ｋπ／ｍを伴い、ブロックｉ−１から生じるシンボルに関して前に実行された回転位相を累積する。
【０１１５】
好ましくは、インデックスｉのデジタル復調器１０は、復調器がインデックスｉのサンプルブロックを基にして作り出したシンボルブロックを収容するのみではなく、メタデータのセットを収容するフレームも生成する。メタデータのこのセットは：
・この復調器により作り出された最終シンボルと関連付けられる、サンプルとの関連での小数位置、および、信号対ノイズ比。好ましくは、これらのメタデータは、フレーム内のインデックスｉのシンボルブロックの後に続くサフィックス内に含まれる。
・この復調器により作り出された最初のシンボルと関連付けられる、サンプルとの関連での小数位置、および、信号対ノイズ比。好ましくは、これらのメタデータは、フレーム内のインデックスｉのシンボルブロックの前にあるプレフィックス内に含まれる。
・ガードの最後のサンプルの時間において、復調器により同期させられるキャリアの位相。
・ブロックの最後のサンプルの時間において、復調器により同期させられるキャリアの位相。
を含むことができる。
【０１１６】
フレームは、次いで、復元モジュール１２に送出される。かくして、復元モジュール１２が出力信号を復元するのは、復元モジュール１２が受信したＫ個のフレームの内容（メタデータおよびシンボル）を基にしてのことである。
【０１１７】
当然ながら、復元モジュール１２により実装されるすべての処理は、連続するインデックスｉ−１およびｉのシンボルブロックの各対に対して、Ｋ−１回繰り返される。かくして、何らかの冗長性のＫ−１個の検出が、Ｋ−１個の連結、および、多くてもＫ−１個の位相調整と同じ方法で実装される。
【０１１８】
すべての前述のステップが、アナログ−デジタル変換器４により作り出されるいくつかのサンプルシーケンスに対して経時的に繰り返され得る。特に、所与のサンプルシーケンスから構築されるインデックスＫのシンボルブロック、および、後に続くサンプルシーケンスから構築されるインデックス１のシンボルブロックは、全く同じシーケンスの中での前に説明された論理と同じ論理によって集合させられるということが留意されるべきである。
【０１１９】
本発明は、上記で詳述された実施形態だけに限定されない。
【０１２０】
かくして、ディストリビュータ８により形成されるＫ個のサンプルブロックは、同一の、または異なるサイズのものであり、同一の、または異なる数においての同期サンプルを有し、および、同一の、または異なる数においてのガードサンプルを有することがある。
【０１２１】
変形例実施形態において、復調器により復元モジュールに供給されるメタデータは、メタデータが、開始メタデータに対してヘッダの終了において、および、終了メタデータに対していずれのブロックの終了においても計算されており、変動領域が数個のシンボル期間のものであることができる限り、わずかにシフトされた時間において、または、経時的に可変でさえあるように計算され得る。この場合、（サンプル小数に対して正確な）ぴったりのタイムスタンピングが、メタデータの各アイテムに付随するということが重要である。メタデータを役立てたい復元モジュールは、次いで、メタデータを外挿するステップを完了して、それらを２つの連続するブロックに対して同一の時間において一致させなければならない。例えば、同期ＯＬのキャリア周波数は徐々に変動するので、外挿により保存され、このキャリアの位相は、時間に対する変動の勾配としてキャリア周波数を使用して一次式により外挿され、シンボル中心の位置は、（復元モジュールにより知られている）１つのシンボル期間の加算または減算により、近接するシンボルにシフトされ得る。
【０１２２】
サンプリングレート以外の、サンプルおよびメタデータのタイムスタンピングに対する別のタイムベース、すなわち、サンプルシーケンスにおいての順序番号および相対的小数部分を使用することが、また可能である。復調器から生じるメタデータは、その場合には、このタイムベースにおいてのメタデータのタイムスタンプが付随している。
【０１２３】
この方法は、同じタイムベースにより遠隔で同期させられている、異なるハードウェアアイテムから生じるサンプルブロックの使用を構想することを可能にする。特に、動作の別のモードにおいて、入力としてディストリビュータ８に渡されるデジタル信号サンプルのシーケンスは、異なる無線アンテナにより、前に取得された、同じ変調されたアナログ信号を基にして、いくつかの独立したアナログ−デジタル変換器により作り出されていることがある。
【０１２４】
３／  テスト結果
前述の方法が、２．００ＧＨｚの周波数において動作する２つのＩｎｔｅｌ  Ｘｅｏｎ  ５１３０プロセッサを装備する処理デバイスによってテストされた。単一のデジタル復調器によって、１０Ｍビット／ｓのスループットが達せられた。しかしながら、第２のデジタル復調器を、第１のものと並列に追加することにより、スループットは、増大され、１６Ｍビット／ｓに達した（サンプルの総計の１／１０の重複を伴う）。
【０１２５】
この同じテストが、３．１０ＧＨｚの周波数において動作するＩｎｔｅｌ  Ｘｅｏｎ  Ｅ３−１２２０−ｖ３プロセッサを装備するマシン上で実行された。
【０１２６】
図６を参照すると、単一の復調器によって得られる性能と、並列での２つの復調器によって得られる性能との間に１．６の比が存する。復調器の数をさらに増大することにより、この比は、いっそう著しくなる。
【図１】
2021525995.tif 000018
【図２】
2021525995.tif 000019
【図３】
2021525995.tif 000020
【図４】
2021525995.tif 000021
【図５】
2021525995.tif 000022
【図６】
2021525995.tif 000023
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
少なくとも１つの変調されたアナログ信号から生じるデジタル信号サンプルのシーケンスを処理するための方法であって、デジタル信号サンプルのシーケンスは、第１のサンプルサブシーケンス（Ｅ１−Ｅ９）と、第１のサンプルサブシーケンスとは異なる第２のサンプルサブシーケンス（Ｅ１０−Ｅ１４）とを含み、方法は、
・第１のサンプルサブシーケンス（Ｅ１−Ｅ９）を含む第１のサンプルブロック、および、第２のサンプルサブシーケンス（Ｅ１０−Ｅ１４）が後に続くヘッダサンプル（Ｅ６−Ｅ９）を含む第２のサンプルブロックを形成すること（１０６）、
・第１のシンボルブロック（Ｓ２−Ｓ４）を作り出すように、第１のデジタル復調器により、第１のサンプルブロックを復調すること（１０８）、
・第２のシンボルブロック（Ｓ４−Ｓ６）を作り出すように、第１のデジタル復調器から独立した第２のデジタル復調器により、第２のサンプルブロックを復調すること（１０８）であって、第２のデジタル復調器は、ヘッダサンプル（Ｅ６−Ｅ９）から開始して、キャリアおよび／またはシンボルレート同期を実装し、入力として第２のサンプルブロックを取り、ヘッダサンプルは、第２のデジタル復調器が第２のサンプルサブシーケンス（Ｅ１０−Ｅ１４）を復調することを開始する前に同期が有効であるために適した数においての同期サンプルを含む、こと（１０８）、
・第１のシンボルブロックから生じるシンボルシーケンスを、第２のシンボルブロックから生じるシンボルシーケンスと連結することにより、出力シンボルシーケンスを復元すること（１１４）
を含み、
第１のサンプルサブシーケンスは、第１のサンプルブロックの末尾サンプルを含み、第２のサンプルブロックのヘッダサンプルは、末尾サンプルに対応する、方法。
【請求項２】
ヘッダサンプルが、第２のサンプルブロック内に、同期サンプル（Ｅ６）と第２のサンプルサブシーケンス（Ｅ１０−Ｅ１４）との間に置かれるガードサンプル（Ｅ７−Ｅ９）をさらに含み、ガードサンプルが、デジタル信号サンプルのシーケンスにおいてシンボルあたりのサンプルの最大の数より大きい数のものである、請求項１に記載の方法。
【請求項３】
第２のサンプルブロックを受信した第２のデジタル復調器が、ヘッダサンプルが第２の復調器により消費されていない限り、シンボルを作り出さない、請求項１または２に記載の方法。
【請求項４】
第１のデジタル復調器により、第１のシンボルブロックに関係するメタデータの第１のセットを生成することと、第２のデジタル復調器により、第２のシンボルブロックに関係するメタデータの第２のセットを生成することとをさらに含み、復元が、メタデータの第１のセット、および、メタデータの第２のセットを使用して実装される、請求項１から３のいずれか一項に記載の方法。
【請求項５】
・メタデータの第１のセット、および、メタデータの第２のセットを使用して、第１のシンボルブロックの少なくとも１つのシンボルと第２のシンボルブロックの少なくとも１つのシンボルとの間の冗長性を検出すること（１１０）と、
・冗長であると検出されたシンボルの少なくとも１つの対に対して、対の２つのシンボルのうち１つのみを出力シーケンスにおいて保持することと
を含む、請求項４に記載の方法。
【請求項６】
第１のシンボルブロックと関連付けられる信号対ノイズ比、および、第２のシンボルブロックと関連付けられる信号対ノイズ比を推定することを含み、２つの冗長なシンボルのうち、出力信号において保持されるシンボルが、推定された信号対ノイズ比の間の最も高い信号対ノイズ比と関連付けられるシンボルブロックから生じるシンボルである、請求項５に記載の方法。
【請求項７】
第２のシンボルブロックから生じるシンボルシーケンスが、出力シンボルシーケンスにおいて、第１のシンボルブロックから生じるシンボルシーケンスの後に続き、冗長であると検出された２つのシンボルのうち、出力シーケンスにおいて保持されるシンボルが、第１のシンボルブロックの冗長なシンボルである、請求項５に記載の方法。
【請求項８】
・メタデータの第１のセットが、第１の復調器により決定され、第１のサンプルブロック内で最終シンボルを位置特定する、第１の位置
【数１】
2021525995.tif 000024
を含み、
・メタデータの第２のセットが、第１の復調器により決定され、第２のサンプルブロック内で最初のシンボルを位置特定する、第２の位置
【数２】
2021525995.tif 000025
を含み、
・第１のシンボルブロックと第２のシンボルブロックとの間の冗長なブロックの数が、第１の位置と第２の位置との間の分離に応じて計算される、
請求項４から７のいずれか一項に記載の方法。
【請求項９】
第１のデジタル復調器により、第１のシンボルブロック、およびメタデータの第１のセットを含む第１のフレームを生成することと、第２のデジタル復調器により、第２のシンボルブロック、およびメタデータの第２のセットを含む第２のフレームを生成することとをさらに含む、請求項４から８のいずれか一項に記載の方法。
【請求項１０】
メタデータの第１のセットが、第１のフレーム内の第１のシンボルブロックの後に続くサフィックスを形成し、メタデータの第２のセットが、第２のフレーム内の第２のシンボルブロックが後に続くプレフィックスを形成する、請求項９に記載の方法。
【請求項１１】
・第１のデジタル復調器により、第１のシンボルブロックと関連付けられる第１の同期させられるキャリア位相を推定するステップ、
・第２のデジタル復調器により、第２のシンボルブロックと関連付けられる第２の同期させられるキャリア位相を推定するステップ、
・同期させられるキャリア同期の２つの位相が、位相差だけ異なるならば、出力信号を復元する前に、位相差を取り除くように、第１のシンボルブロックおよび第２のシンボルブロックのうちの一方を、第１のシンボルブロックおよび第２のシンボルブロックのうちの他方との関連で調整するステップ
をさらに含む、請求項４から１０のいずれか一項に記載の方法。
【請求項１２】
第１の位相が、メタデータの第１のセット内に含まれ、第２の位相が、メタデータの第２のセット内に含まれる、請求項４と組み合わせて請求項１１に記載の方法。
【請求項１３】
第２のサンプルブロックに関係するメタデータを生成することを含み、前記メタデータが、第２のデジタル復調器に送信され、第２のサンプルブロックのサンプルの総数、および／または、第２のサンプルブロックの同期サンプルの数、および／または、デジタル信号サンプルのシーケンスの中心周波数を含む、請求項１から１２のいずれか一項に記載の方法。
【請求項１４】
・デジタル信号サンプルのシーケンスの中心周波数と、予想される中心周波数との間の周波数オフセットを決定することと、
・第１のサンプルブロックおよび第２のサンプルブロックを形成する前に、周波数オフセットからデジタル信号サンプルのシーケンスを、デジタル信号サンプルのシーケンスにおいての周波数オフセットを除去するために補正すること、さもなければ、第１のデジタル復調器および第２のデジタル復調器のうちの１つにより、第１のサンプルブロックおよび第２のサンプルブロックのうちの１つを補正することと
をさらに含む、請求項１から１３のいずれか一項に記載の方法。
【請求項１５】
プログラムコード命令であって、このプログラムが少なくとも１つのプロセッサにより実行されるとき、請求項１から１４のいずれか一項に記載の方法のステップを実行するためのプログラムコード命令を含む、コンピュータプログラム製品。
【請求項１６】
少なくとも１つの変調されたアナログ信号から生じるデジタル信号サンプルのシーケンスを処理するためのデバイス（６）であって、デジタル信号サンプルのシーケンスは、第１のサンプルサブシーケンス、および第１のサンプルサブシーケンスとは異なる第２のサンプルサブシーケンスを含み、処理デバイス（６）は、
・第１のサンプルサブシーケンスを含む第１のサンプルブロックを形成するように、および、第２のサンプルサブシーケンスが後に続くヘッダサンプルを含む第２のサンプルブロックを形成するように構成されるディストリビュータ（８）、
・第１のシンボルブロックを作り出すように、第１のサンプルブロックを復調するように構成される第１のデジタル復調器（１０）、
・第１のデジタル復調器から独立した、および、第２のシンボルブロックを作り出すように、第２のサンプルブロックを復調するように構成される、第２のデジタル復調器（１０）であって、ヘッダサンプルから開始して、キャリアおよび／またはシンボルレート同期を実装するように、ならびに、入力として第２のサンプルブロックを取るように構成され、ヘッダサンプルは、第２のデジタル復調器が第２のサンプルサブシーケンスを復調することを開始する前に同期が有効であるために適した数においての同期サンプルを含む、第２のデジタル復調器（１０）、
・第１のシンボルブロックから生じるシンボルシーケンスを、第２のブロックから生じるシンボルシーケンスと連結することにより、出力シンボルシーケンスを復元するように構成される復元モジュール（１２）
を含み、
第１のサンプルサブシーケンスは、第１のサンプルブロックの末尾サンプルを含み、第２のサンプルブロックのヘッダサンプルは、末尾サンプルに対応する、デバイス（６）。
【国際調査報告】
2021525995.tif 000026
2021525995.tif 000027
2021525995.tif 000028
2021525995.tif 000029
2021525995.tif 000030
2021525995.tif 000031